(57)【要約】【課題】通信品質の向上を図る。【解決手段】無線通信装置は、パラメータ判別部、受信処理部、合成部および受信処理割り当て部を備える。パラメータ判別部は、受信したパラメータが特定パラメータか否かの判別を行う。受信処理部は、入力された複数のパスの受信処理を行う。合成部は、受信処理後のパスの合成処理を行って合成信号を出力する。受信処理割り当て部は、パラメータが特定パラメータと判別された場合、特定パラメータの通信時にユーザ情報の通信が行われる通信セルのパスに対して、１通信セル当たりに割り当て可能な最大ｋ（≦ｎ）個の受信処理部を割り当てる。【選択図】図１
2012060341.tif 000002
【特許請求の範囲】
【請求項１】
受信したパラメータが特定パラメータか否かの判別を行うパラメータ判別部と、
パスの受信処理を行うｎ個の受信処理部と、
前記パラメータが前記特定パラメータと判別された場合、前記特定パラメータの通信時にユーザ情報の通信が行われる通信セルのパスに対して、１通信セル当たりに割り当て可能な最大ｋ（≦ｎ）個の前記受信処理部を割り当てる受信処理割り当て部と、
を有することを特徴とする無線通信装置。
【請求項２】
前記受信処理割り当て部は、前記パラメータが前記特定パラメータでないと判別された場合、接続を行っている複数の通信セルに対する前記受信処理部の割り当ての優先度を同等とすることを特徴とする請求項１記載の無線通信装置。
【請求項３】
無線通信方法において、
受信したパラメータが特定パラメータか否かの判別を行い、
パスの受信処理をｎ個の受信処理部で行い、
前記パラメータが前記特定パラメータと判別された場合、前記特定パラメータの通信時にユーザ情報の通信が行われる通信セルのパスに対して、１通信セル当たりに割り当て可能な最大ｋ（≦ｎ）個の前記受信処理部を割り当てて無線通信を行う、
ことを特徴とする無線通信方法。
【請求項４】
前記パラメータが前記特定パラメータでないと判別された場合、接続を行っている複数の通信セルに対する前記受信処理部の割り当ての優先度を同等とすることを特徴とする請求項３記載の無線通信方法。
【発明の詳細な説明】
【技術分野】
【０００１】
本発明は、無線通信を行う無線通信装置および無線通信方法に関する。
【背景技術】
【０００２】
携帯電話などの移動通信の分野では、第3世代移動通信システム（3G（3rd generation））のW−CDMA（Wideband−Code Division Multiple Access）が広く用いられている。また、通信速度の高速化のために、第3.5世代移動通信システム（3.5G）のHSPA（High Speed Packet Access）が運用されている。
【０００３】
HSPAは、W−CDMAを拡張した高速パケット通信規格であり、下りの高速化はHSDPA（High Speed Downlink Packet Access）、上りの高速化はHSUPA（High Speed Uplink Packet Access）と呼ばれる。
【０００４】
一方、W−CDMAでは、マルチパスフェージングによる通信品質の劣化対策として、送信された無線信号を複数の伝搬パスとして受信して合成するレイク（RAKE）合成が一般的に行われている。RAKE合成により、複数の受信波を合成して受信信号レベルを大きくし、受信品質を一定水準に保つことができる。
【０００５】
また、RAKE合成を行うためには、複数の受信処理系であるフィンガと呼ばれる１パス分の無線信号を格納し、タイミング調整制御を行うハードウェアが、合成数分用意される。各フィンガには、無線信号と、復調対象パスに関するパラメータが割り当てられ、無線信号に対して、逆拡散および同期検波等の処理が割り当てられたパスに関するパラメータに従って行われる。
【０００６】
従来技術としては、遅延プロファイルにもとづくパステーブルを用いて、各チャネルで独立にフィンガ割り当てを行う技術が提案されている（特許文献１）。また、制御チャネルに対してフィンガ割り当てを変更する技術が提案されている（特許文献２）。
【先行技術文献】
【特許文献】
【０００７】
【特許文献１】特開２００５−１３０２４６号公報
【特許文献２】特表２００９−５０６６９１号公報
【発明の概要】
【発明が解決しようとする課題】
【０００８】
W−CDMAの通信方式では、ソフトハンドオーバという技術が採用されており、通信エリアであるセルに対して、複数のセルと同時に通信が行われる。このため、RAKE合成の対象となるセルは１つではなく、複数のセルが対象になる。
【０００９】
また、装置に搭載可能なフィンガ数は限られているので、有限数のフィンガにセルのパスを割り当てることになるが、フィンガに割り当てられるパス数が多いセルは通信品質が良く、割り当てられるパス数が少ないセルは通信品質が悪くなる。
【００１０】
したがって、有限数のフィンガに対して、数多く存在するパスをどのように割り当てるかが通信品質上の課題となっており、フィンガの最適割り当てを行う技術の実現が望まれている。
【００１１】
本発明はこのような点に鑑みてなされたものであり、通信品質の向上を図った無線通信装置を提供することを目的とする。
また、本発明の他の目的は、通信品質の向上を図った無線通信方法を提供することである。
【課題を解決するための手段】
【００１２】
上記課題を解決するために、無線通信装置が提供される。無線通信装置は、受信したパラメータが特定パラメータか否かの判別を行うパラメータ判別部と、パスの受信処理を行うｎ個の受信処理部と、前記パラメータが前記特定パラメータと判別された場合、前記特定パラメータの通信時にユーザ情報の通信が行われる通信セルのパスに対して、１通信セル当たりに割り当て可能な最大ｋ（≦ｎ）個の前記受信処理部を割り当てる受信処理割り当て部とを有する。
【発明の効果】
【００１３】
通信品質の向上を図ることが可能になる。
【図面の簡単な説明】
【００１４】
【図１】無線通信装置の構成例を示す図である。
【図２】無線通信装置の構成例を示す図である。
【図３】RAKE合成処理部の構成例を示す図である。
【図４】動作フローチャートを示す図である。
【発明を実施するための形態】
【００１５】
以下、本発明の実施の形態を図面を参照して説明する。図１は無線通信装置の構成例を示す図である。無線通信装置１０は、パラメータ判別部１４ａ、受信処理割り当て部１４ｂ、受信処理部１５−１〜１５−ｎおよび合成部１５ｄを備え、例えば、携帯電話機等の移動局に該当する。
【００１６】
パラメータ判別部１４ａは、受信したパラメータが特定パラメータか否かの判別を行う。ｎ（＝２、３、４、・・・）個の受信処理部１５−１〜１５−ｎは、入力された複数のパス（チャネル）の信号の受信処理を行う。合成部１５ｄは、受信処理後の信号の合成処理を行って合成信号を出力する。
【００１７】
受信処理割り当て部１４ｂは、パラメータ判別部１４ａでパラメータが特定パラメータと判別された場合、特定パラメータの通信時にユーザ情報の通信が行われる通信セルのパスに対して、１通信セル当たりに割り当て可能な最大ｋ（≦ｎ）個の受信処理部１５−１〜１５−ｋを割り当てる（例えば、あらかじめ固定的に決定したｋ（≦ｎ）個の受信処理部１５−１〜１５−ｋを優先して割り当てる）。
【００１８】
次にHSDPA通信および非HSDPA通信（例えば、W−CDMAのような3G通信）が行われる環境での無線通信装置１０の動作例について説明する。なお、以降では、受信処理部をフィンガと呼ぶ。
【００１９】
ここで、有限個のフィンガを3Gのデータ通信とHSDPAのデータ通信とにどのように割り当てるかを考える。3Gのデータ通信とHSDPAのデータ通信とは排他の関係ではないため、HSDPA通信を行うセルだけを優先すると、HSDPA通信の品質は良くなるが、3G通信を行うセルの通信品質が劣化してしまう。また、3G通信を行うセルだけを考慮して優先付けすると、HSDPA通信の品質が劣化してしまう。
【００２０】
一方、3GPP Rel6（3rd Generation Partnership Project Release 6）より、F−DPCH（Fractional−Dedicated Physical Control Channel）が適用されている。F−DPCHは、ユーザ情報を含まず、TPC（Transmit Power Control）と呼ばれる電力制御ビットのみが含まれる無線チャネルである。
【００２１】
無線基地局と移動局との間でF−DPCHが通信されている時には、HSDPA通信でのみユーザデータの送受信を行い、3G通信はユーザデータの受信を行わないことが定められている。このため、F−DPCHの通信時には、3G通信で接続を行っているセルの通信品質は、必要最低限にまで落とすことができる。
【００２２】
したがって、無線通信装置１０では、F−DPCH通信時かそうでないかによって、3G通信によるユーザデータの有無を判断し、フィンガ割り当て優先度を可変させることによって、3G通信の品質を劣化させることなく3.5G通信品質を向上させる。
【００２３】
すなわち、F−DPCH通信時は、HSDPAの通信を行うHSDPA通信セルのフィンガ割り当てを可能な限り多くし、3G通信セルのフィンガ割り当てを最小とする。
また、非F−DPCH通信時は、HSDPA通信セルと3G通信セルのフィンガ割り当て優先度を同等とし、例えば、遅延プロファイルや電力相関値などの情報を使用して、あらかじめ定義しておいたアルゴリズムを用いての割り当てを行う。
【００２４】
このように、F−DPCHの通信時には、HSDPA通信にフィンガを多く割り当て、F−DPCHの通信が行われていない時には、非HSDPA通信（3G通信など）とHSDPA通信とのフィンガ割り当ての優先度を同等にする構成にした。
【００２５】
このような、フィンガの適応的な割り当て制御を行うことにより、重要性の低いセルのフィンガ割り当てを減らし、重要性の高い通信を行うセルへの割り当てを増やすことができるので、スループットを向上させて、通信品質の向上を図ることが可能になる。
【００２６】
次に無線通信装置１０の具体的な構成について説明する。図２は無線通信装置の構成例を示す図である。無線通信装置１０−１は、RF（Radio Frequency）信号処理部１１、パス情報検出部１２、パラメータ受信部１３、フィンガ割り当て部１４、RAKE合成処理部１５および復調器１６を備える。
【００２７】
フィンガ割り当て部１４は、受信パラメータ解析部１４−１、電力相関値解析部１４−２およびフィンガ設定部１４−３を含み、図１のパラメータ判別部１４ａおよび受信処理割り当て部１４ｂの機能を含む。また、RAKE合成処理部１５は、フィンガ１５−１〜１５−ｎ（図１の受信処理部１５−１〜１５−ｎに該当）およびRAKE合成部１５ｄ（図１の合成部１５ｄに該当）を含む。
【００２８】
RF信号処理部１１は、アンテナ端から受信したRF信号に対して、受信周波数の調整やレベルの調整をして、後段の機能ブロックへ出力する。パス情報検出部１２は、RF信号処理部１１からの入力信号から、遅延プロファイル（パスのタイミング情報）を検出し、かつ各パスの電力相関値を検出する。パラメータ受信部１３は、上位層からのパラメータ（F−DPCHなど）やコマンドを受信する。
【００２９】
受信パラメータ解析部１４−１は、上位層から指定されたパラメータがF−DPCH（特定パラメータ）であるか否かを判別し、固定フィンガ割り当ての対象となるセルが、F−DPCH通信時にユーザデータの送受信を行うセルか否かを認識する。判定結果はフィンガ設定部１４−３へ送信する。なお、F−DPCHであるか否かの判別は、例えば、パラメータ内のユーザ情報の存在有無により判別する。
【００３０】
電力相関値解析部１４−２は、パス情報検出部１２から通知された遅延プロファイルと電力相関値の検出結果から、既存パスか新規パスか、信号電力の強弱を判断し、フィンガ設定候補となるパス（パス情報）を認識して、フィンガ設定部１４−３に通知する。
【００３１】
フィンガ設定部１４−３は、RAKE対象となるパスをフィンガ１５−１〜１５−ｎに対して設定する。この場合のフィンガ設定は、F−DPCH通信実施の有無によって設定アルゴリズムを変更する。
【００３２】
また、フィンガ設定部１４−３は、RAKE合成処理部１５内のｎ個のフィンガ１５−１〜１５−ｎの内、HSDPA通信セルのパスのみで使用するｋ（≦ｎ）個のフィンガをあらかじめ定めておく。
【００３３】
なお、ｋは、１セルあたりに設定可能な最大フィンガ数であり、装置が備えるフィンガ数ｎを考慮した上で決定される。ｋは多すぎても良い特性を得られないため、最適な数をあらかじめ割り出しておき適用する。
【００３４】
ここで、F−DPCH通信を行わない場合は、遅延プロファイルや電力相関値などの情報を使用して、あらかじめ定義しておいたアルゴリズムを用いて、各パスに対してフィンガを設定する。また、F−DPCH通信を行う場合は、ｋ個のフィンガをHSDPA通信セルのパスに割り当て、残りの（ｎ−ｋ）個のフィンガを非HSDPA通信セルのパスに割り当てる。
【００３５】
なお、このときに、フィンガ設定機能では、（ｎ＋ｋ）本のパスの中からｋ本だけフィンガ設定しないパスを廃棄する動作を行う。廃棄対象となるパスは、電力相関値解析部１４−２から通知された優先順位情報を参照し、優先度の低いｋ本のパスを選択するものとする。
【００３６】
フィンガ１５−１〜１５−ｎは、自身に割り当てられたパスに対して、逆拡散および同期検波の処理を行い、またパス毎の遅延量を補償する。RAKE合成部１５ｄは、フィンガ１５−１〜１５−ｎからの出力信号をRAKE合成する、復調器１６は、RAKE合成処理部１５から出力された合成信号の復調処理を行う。
【００３７】
図３はRAKE合成処理部１５の構成例を示す図である。RAKE合成処理部１５は、フィンガ１５−１〜１５−ｎおよびRAKE合成部１５ｄを含み、フィンガ１５−１〜１５−ｎは、逆拡散部１５ａ、同期検波部１５ｂおよびバッファ１５ｃを含む。
【００３８】
逆拡散部１５ａは、拡散コード位相にもとづいて、割り当てられたパスの信号を逆拡散する。同期検波部１５ｂは、逆拡散された信号を同期検波してベースバンド信号を出力する。バッファ１５ｃは、ベースバンド信号をバッファリングしてパス毎の遅延量を補償する。RAKE合成部１５ｄは、フィンガ１５−１〜１５−ｎからのそれぞれの出力信号に所定の重み付けを行って最大比合成する。
【００３９】
次に無線通信装置１０−１の動作フローについて説明する。図４は動作フローチャートを示す図である。
〔Ｓ１〕パラメータ受信部１３は、パラメータを受信する。
【００４０】
〔Ｓ２〕受信パラメータ解析部１４−１は、受信したパラメータがF−DPCHか否かを判別する。F−DPCHの場合は、ステップＳ３へいき、F−DPCHでない場合はステップＳ４へいく。
【００４１】
〔Ｓ３〕フィンガ割り当て部１４は、HSDPA通信セルに対して、フィンガ１５−１〜１５−ｎの内のｋ個のフィンガを割り当てる。また、複数の非HSDPA通信セルに対しては、（ｎ−ｋ）のフィンガ数の内、遅延プロファイルの変動量や電力相関値などの情報を基に優先付けをしてフィンガ設定を行う。
【００４２】
〔Ｓ４〕フィンガ割り当て部１４は、HSDPA通信セルと非HSDPA通信セルに対しては、フィンガ割り当て優先度を同等とする。この場合、例えば、ｎのフィンガ数の内、遅延プロファイルの変動量や電力相関値などの情報だけを基に優先付けをした定義済みのフィンガ設定を行う。
【００４３】
以上説明したように、3G通信のデータと3.5G通信のデータの必要性をF−DPCH通信の有無によって検出して、最適なフィンガ割り当てを行ってRAKE合成を行う構成とした。これにより、HSDPA通信のスループットを向上させることができ、通信品質の向上を図ることが可能になる。
【００４４】
以上、実施の形態を例示したが、実施の形態で示した各部の構成は同様の機能を有する他のものに置換することができる。また、他の任意の構成物や工程が付加されてもよい。
（付記１）  受信したパラメータが特定パラメータか否かの判別を行うパラメータ判別部と、
パスの受信処理を行うｎ個の受信処理部と、
前記パラメータが前記特定パラメータと判別された場合、前記特定パラメータの通信時にユーザ情報の通信が行われる通信セルのパスに対して、１通信セル当たりに割り当て可能な最大ｋ（≦ｎ）個の前記受信処理部を割り当てる受信処理割り当て部と、
を有することを特徴とする無線通信装置。
【００４５】
（付記２）  前記受信処理割り当て部は、前記パラメータが前記特定パラメータでないと判別された場合、接続を行っている複数の通信セルに対する前記受信処理部の割り当ての優先度を同等とすることを特徴とする付記１記載の無線通信装置。
【００４６】
（付記３）  無線通信方法において、
受信したパラメータが特定パラメータか否かの判別を行い、
パスの受信処理をｎ個の受信処理部で行い、
前記パラメータが前記特定パラメータと判別された場合、前記特定パラメータの通信時にユーザ情報の通信が行われる通信セルのパスに対して、１通信セル当たりに割り当て可能な最大ｋ（≦ｎ）個の前記受信処理部を割り当てて無線通信を行う、
ことを特徴とする無線通信方法。
【００４７】
（付記４）  前記パラメータが前記特定パラメータでないと判別された場合、接続を行っている複数の通信セルに対する前記受信処理部の割り当ての優先度を同等とすることを特徴とする付記３記載の無線通信方法。
【００４８】
（付記５）  受信したパラメータがF−DPCHか否かの判別を行うパラメータ判別部と、
パスの受信処理を行うｎ個のフィンガと、
受信処理後の前記パスのレイク合成を行うレイク合成部と、
前記パラメータが前記F−DPCHの場合、HSDPA通信セルのパスの信号に対して、１通信セル当たりに割り当て可能な最大ｋ（≦ｎ）個の前記フィンガを割り当てるフィンガ割り当て部と、
を有することを特徴とする無線通信装置。
【００４９】
（付記６）  前記フィンガ割り当て部は、前記パラメータが非F−DPCHの場合、接続を行っている複数の通信セルに対する前記フィンガの割り当ての優先度を同等とすることを特徴とする付記５記載の無線通信装置。
【符号の説明】
【００５０】
１０  無線通信装置
１４ａ  パラメータ判別部
１４ｂ  受信処理割り当て部
１５−１〜１５−ｎ  受信処理部
１５ｄ  合成部
【図１】
2012060341.tif 000003
【図２】
2012060341.tif 000004
【図３】
2012060341.tif 000005
【図４】
2012060341.tif 000006